(57)【特許請求の範囲】
【請求項１】
透視不能な隠蔽用のラベル基材の上面側に控えシートを、前記ラベル基材に対して分離可能に設け、この控えシートの上面には隠蔽すべき情報を記入する隠蔽情報記入部を設け、前記ラベル基材の下面側には透視可能なシートを剥離可能に接合し、この透視可能なシートの下面側には粘着剤を設けるとともに剥離紙で被覆し、この剥離紙の下面側における前記隠蔽情報記入部に対応する部分に有色複写転移剤を設けてなることを特徴とする情報隠蔽用複写ラベル。
【発明の詳細な説明】
【０００１】
【発明の属する技術分野】
本発明は、他人に知られたくない隠蔽すべき情報（以下単に隠蔽情報という）を隠蔽するためのラベルに関し、例えば、各種申込書を自宅に持ち帰って隠蔽情報を含む必要事項を記入し、少なくとも隠蔽情報をラベルで被覆隠蔽したうえ、この記入済みの申込書を、申込先に郵送等により送付あるいは持参して申込手続を行うのに適したものであり、より具体的には、控えシートを有してなり、この控えシートに記入することにより、ラベルの下面側に位置する各種申込書等のシートやカードに複写記入することのできる情報隠蔽用複写ラベルに関する。
【０００２】
【従来の技術】
従来から、種々の情報隠蔽用ラベルが存在するが、これらのラベルは、隠蔽情報を隠蔽するためにシートやカードの所定位置に剥離可能に貼着するとともに、必要に応じて剥離して隠蔽情報を視認可能とするように構成されているに過ぎず、記入作業との関連は何ら考慮されていない。また、隠蔽情報の内容を確認するために、申込者が控えを手許におきたい場合には、シートやカードに控えがあればそれを利用することができるが、ない場合には申込者が別途控えを作成しなければならなかった。
【０００３】
【発明が解決しようとする課題】
本発明は、このような事情に鑑みてなされたもので、シートやカードに複写記入したうえ、複写記入した隠蔽情報を被覆隠蔽できるとともに、控えを取ることができる情報隠蔽用複写ラベルを提供することを目的とする。
【０００４】
【課題を解決するための手段】
この目的を達成するために、本発明の請求項１に記載した情報隠蔽用複写ラベルは、透視不能な隠蔽用のラベル基材の上面側に控えシートを、前記ラベル基材に対して分離可能に設け、この控えシートの上面には隠蔽すべき情報を記入する隠蔽情報記入部を設け、前記ラベル基材の下面側には透視可能なシートを剥離可能に接合し、この透視可能なシートの下面側には粘着剤を設けるとともに剥離紙で被覆し、この剥離紙の下面側における前記隠蔽情報記入部に対応する部分に有色複写転移剤を設けてなるものである。
【０００５】
【発明の実施の形態】
以下、本発明を口座振替申込書に記入する隠蔽情報を被覆隠蔽するための複写ラベルに適用した場合の好適な実施形態を添付図面に基づいて詳細に説明する。ここにおいて、図１〜図６は第１の実施形態を示し、図１は情報隠蔽用複写ラベルの平面図、図２はそのＡ−Ａ線断面図、図３は口座振替申込書にセットした状態の断面図、図４はセットした後に所定事項を記入した状態の平面図、図５は口座振替申込書に接着して複写記入した隠蔽情報を被覆隠蔽した状態の断面図、図６はラベル基材を剥離して隠蔽情報を視認可能にした状態の平面図である。また、図７は情報隠蔽用複写ラベルを口座振替申込書と一体に設けた第２の実施形態を示す断面図である。
【０００６】
まず、第１の実施形態を説明すると、図１及び図２に示すように、情報隠蔽用の複写ラベル１は、透視不能な材質からなるラベル基材２の上面側に、これとほぼ同一大の控えシート３を、一端側に線状に塗布した糊４で綴じ合わせて、分離可能に設けている。前記控えシート３の上面には、「△△カード口座振替申込（控）」という標題５の下に、口座振替を行う銀行支店名記入欄６、口座番号記入欄７、口座名義人記入欄８、口座名義人電話番号記入欄９、取引暗証番号記入欄１０、銀行届出印捺印欄１１が設けられている。これら各欄６〜１１が隠蔽情報記入部２４ａを構成する。
【０００７】
ラベル基材２の下面側には、これとほぼ同一大で透視可能な、例えばポリエチレンからなる透明シート１２を接着力の弱い再剥離性の弱粘着剤１３で貼着することで剥離可能に接合している。この弱粘着剤１３としては、例えば、天然ゴム、合成ゴム、酢酸ビニル−塩化ビニル共重合体等を主剤とし、ロジン誘導体、テルピン樹脂等の粘着付与剤及び充てん剤、老化防止剤等を添加してなるものを挙げることができる。
【０００８】
この透明シート１２の下面側には、弱粘着剤１３と比較して接着力が強固な透明な粘着剤１４を塗布し、この粘着剤１４塗布面を剥離紙１５で被覆している。この剥離紙１５は、透明シート１２よりも一回り大きいもので、剥離紙１５の控えシート３の綴じ合わせ端側には、スリット１６を設けて第１剥離部１５ａを形成している。
【０００９】
そして、この剥離紙１５における控えシート３に設けた各記入欄６，７，８，９，１０，１１に対応する部分の下面側には、カーボン複写剤よりなる有色複写転移剤１７を設けている。
【００１０】
続いて、上述した複写ラベル１の使用方法を説明するが、まず、使用対象となる口座振替申込書２０を説明する。図４に示すように、口座振替申込書２０は、天地方向の幅がラベル基材２、控えシート３及び透明シート１２と略同一であり、控えシート３に設けた各記入欄６，７，８，９，１０，１１に対応する複写記入欄（図示せず）を、上面の中央から左側部分に設けるとともに、上面の右側部分には、申込年月日と、申込者の住所、氏名と、カードを利用して決済を行う会員制クラブの会員番号とを記入する申込者記入部２１を設けている。
【００１１】
複写ラベル１は、図３に示すように、剥離紙１５の第１剥離部１５ａを剥離し、露出した粘着剤１４によって、左端同士を一致させた状態で口座振替申込書２０の上面に捲り上げ可能に接着する。この所定位置へ接着すると、控えシート３に設けた各記入欄６，７，８，９，１０，１１の直下には、隠蔽情報複写記入部２４ｂ（図６参照）が対応位置するものである。
【００１２】
この図３状態において、控えシート３の各記入欄６，７，８，９，１０に所定情報２５を記入し、銀行届出印捺印欄１１に捺印すると（図４参照）、有色複写転移剤１７により同一事項が口座申込書２０の隠蔽情報複写記入部２４ｂに複写情報２２として複写記入される（図６参照）。そして、申込者記入部２１に所定の申込者情報２３を記入する（図５，図６参照）と、口座振替申込書２０に対する所定の記入が終了する。
【００１３】
次に、申込者は、控えシート３をラベル基材２から分離して自己の控えとして保管する一方、剥離紙１５を剥離して粘着剤１４をすべて露出し、透明シート１２の下面を全面的に口座振替申込書２０に接着する。これによって、図５に示すように、複写情報２２は透視不能なラベル基材２によって外部から視認不能に被覆隠蔽された状態となる。
【００１４】
申込者は、この状態の口座振替申込書２０を封筒に入れて口座振替を希望する銀行に郵送したり、あるいは直接銀行の窓口に持参して申し込むものである。この申込に際する銀行内の手続において、最終的な処理部門に至るまでは、隠蔽情報である複写情報２２は視認不能状態を維持する。そして、複写情報２２の確認時にラベル基材２を捲り上げると、弱粘着剤１３の粘着力は粘着剤１４よりは弱く、ラベル基材２と透明シート１２とを剥離可能に接合しているので、ラベル基材２は透明シート１２を口座振替申込書２０側に残した状態で剥離される。したがって、図６状態となって、複写情報２２は透明シート１２を透して視認可能となる。
【００１５】
次に、第２の実施形態を図７に基づいて説明する。本実施形態の複写ラベル３１は、透視不能な材質からなるラベル基材３２の上面側に、これとほぼ同一大の控えシート３３を、一端側に線状に塗布した糊３４で綴じ合わせて、分離可能に設けるとともに、該ラベル基材３２は切り用ミシン目５１を介して口座振替申込書５０と連接している。図示してはいないが、前記控えシート３の上面には、第１の実施形態と同じく、「△△カード口座振替申込（控）」という標題の下に、銀行支店名記入欄、口座番号記入欄、口座名義人記入欄、口座名義人電話番号記入欄、取引暗証番号記入欄、銀行届出印捺印欄からなる隠蔽情報記入部が設けられている。
【００１６】
ラベル基材３２の下面側には、これとほぼ同一大で透視可能な樹脂製の透明シート３５を接着力の強い粘着剤３６で剥離困難に貼着している。前記透明シート３５の下面には、疑似接着層３７を介して同じく樹脂製の透明シート３８を剥離可能に疑似的に貼着し、これによって、前記透明シート３８はラベル基材３２の下面側に剥離可能に接合することになる。そして、前記透明シート３８の下面には、透明で接着力の強い粘着剤３９を塗布し、この粘着剤３９塗布面を切り用ミシン目５１側の端部を除いて剥離紙４０で被覆している。この剥離紙４０は、当初は第１の実施形態における剥離紙１５と同様に、スリット（図示せず）を介して第１剥離部（図示せず）を設けているが、図示状態は、この第１剥離部を剥離して、露出した粘着剤３９により、複写ラベル３１を口座振替申込書５０の所定位置に捲り上げ可能に接着した状態を示している。
【００１７】
上述の疑似的に貼着した透明シート３５，３８としては、相互間の接着性が低い材質を採用すると好適であり、例えば、ポリエチレンテレフタレートとポリエチレン、ポリプロピレンとポリエチレン、ポリブチレンテレフタレートとポリエチレン、ポリエチレンテレフタレートとポリプロピレン、ポリブチレンテレフタレートとポリプロピレン等、オレフィン系樹脂とエステル系樹脂等との組み合わせが好適である。
【００１８】
また、疑似接着層３７は、相互に接着性が低い透明シート３５，３８の間に、一方の透明シートと接着性を有する樹脂を溶融状態で塗布して、溶融樹脂と接着性の低い他の透明シートとの間に剥離可能な疑似的接着状態を形成すればよい。具体的には、ポリエチレンテレフタレートとポリエチレンの組み合わせからなる透明シート３５，３８の場合には、これら透明シート３５，３８の間に、一方のシートと同一材質の樹脂、例えばポリエチレンをエクストルージョンコートして、各透明シート３５，３８を積層することにより形成することができる。
【００１９】
そして、剥離紙４０における控えシート３３に設けた各記入欄に対応する部分の下面側には、カーボン複写剤よりなる有色複写転移剤４２を設けている。なお、口座振替申込書５０は、ラベル基材３２と切り用ミシン目５１を介して連接されている以外の構成は、第１の実施形態における口座振替申込書２０と同一構成であり、図示していないが、隠蔽情報複写記入部及び申込者記入部を有している。
【００２０】
本実施形態においては、第１の実施形態と同様に、控えシート３３の各記入欄（図示せず）に所定情報を記入し、届出印捺印欄（図示せず）に捺印すると（図４参照）、有色複写転移剤４２により隠蔽情報記入部と同一の事項が口座振替申込書５０の対応する隠蔽情報複写記入部（図示せず）に複写情報として複写記入される（図６参照）。そして、申込者記入部に所定の申込者情報を記入して（図５，図６参照）、口座振替申込書５０に対する所定の記入が終了する。
【００２１】
次に、申込者は、控えシート３３をラベル基材３２から分離して自己の控えとして保管する一方、剥離紙４０を剥離して粘着剤３９をすべて露出し、透明シート３８の下面を全面的に口座振替申込書５０に接着する。これによって、複写情報はラベル基材３２によって外部から視認不能に被覆隠蔽された状態となる。
【００２２】
申込者は、この状態の口座振替申込書５０を封筒に入れて口座振替を希望する銀行に郵送したり、あるいは直接銀行の窓口に持参して申し込むものである。この申込に際する銀行内の手続において、最終的な処理部門に至るまでは、隠蔽情報である複写情報は視認不能状態を維持する。そして、ラベル基材３２を捲り上げ、切り用ミシン目５１を破断すると、各透明シート３５，３８が疑似接着層３７から剥離し、ラベル基材３２は透明シート３５とともに、透明シート３８を口座振替申込書５０側に残した状態で剥離される。したがって、複写情報は透明シート３８を透して視認可能となる。
【００２３】
なお、本発明は上述した各実施形態に限らず、例えば、ラベル基材２，３２と口座振替申込書２０，５０とを別体として構成するか、連接して構成するかという点と、透明シート１２，３５，３８が１枚であるか、２枚であるかという点は、何ら関連性がなく、如何なる組み合わせとしても差し支えない。また、口座振替申込書２０，５０を葉書として形成することも可能である。さらに、ラベル基材２，３２の材質が透視不能性において劣っている場合や、透視不能性をより確実に確保したい場合には、ラベル基材２，３２面にベタ印刷等を施したり、アルミ箔膜を積層することもできる。またさらに、本発明を口座振替申込書２０，５０以外の書類に適用することも可能である。
【００２４】
【発明の効果】
以上説明したところで明らかなように、本発明によれば、各種書類に情報を複写記入できるとともに、複写記入した情報を被覆隠蔽した状態にできるので、隠蔽情報を伝達する場合に好適であり、また、記入内容を控えとして保管でき、管理も容易であるという効果を奏する。
【図面の簡単な説明】
【図１】  情報隠蔽用複写ラベルの平面図。
【図２】  図１のＡ−Ａ線断面図。
【図３】  口座振替申込書に複写ラベルをセットした状態の断面図。
【図４】  口座振替申込書にセットして控えシートに所定事項を記入した状態の平面図。
【図５】  情報隠蔽用複写ラベルを口座振替申込書に接着して隠蔽情報を被覆隠蔽した状態の断面図。
【図６】  ラベル基材を口座振替申込書から剥離して隠蔽情報を視認可能にした状態の平面図。
【図７】  第２の実施形態を示す断面図。
【符号の説明】
１，３１    情報隠蔽用複写ラベル
２，３２    ラベル基材
３，３３    控えシート
４，３４    糊
６    銀行支店名記入欄
７    口座番号記入欄
８    口座名義人記入欄
９    口座名義人電話番号記入欄
１０    取引暗証番号記入欄
１１    銀行届出印鑑捺印欄
１２，３５，３８    透明シート
１３    弱粘着剤
１４，３６，３９    粘着剤
１５，４０    剥離紙
１５ａ    第１剥離部
１６    スリット
１７，４２    有色複写転移剤
２０，５０    口座振替申込書
２２    複写情報
２４ａ    隠蔽情報記入部
２４ｂ    隠蔽情報複写記入部
【図１】
0003688141.tif 000002
【図２】
0003688141.tif 000003
【図３】
0003688141.tif 000004
【図４】
0003688141.tif 000005
【図５】
0003688141.tif 000006
【図６】
0003688141.tif 000007
【図７】
0003688141.tif 000008